(57)【要約】【課題】  親機側でメモリフル状態による動作停止を防ぎ、印刷結果が部の途中で分かれてしまうことのない画像形成システム及び画像形成装置を提供する。【解決手段】  複数台の画像形成装置が電気的に接続されて構成されており、複数台の画像形成装置のうちの任意の一台の画像形成装置が親機となり、読み取った画像データを、子機となる他の画像形成装置をに対して転送し、親子が連結ジョブとして印刷を分担し並列に処理させる手段を備えた画像形成システムにおいて、親機側が原稿読み取り中にメモリフルになってしまった場合は、親機側の分担部数を１部に切り替え、１ページごとの印刷終了および子機側への画像転送完了をもって画像データを削除するようにし、残りの全部数は子機側にて印刷するようにする。【選択図】  図１
2005333388.tif 000002
【特許請求の範囲】
【請求項１】
原稿を画像データとして読み取る読み取り手段と、
前記読み取り手段により読み取られた画像データに画像処理を施す画像処理手段と、
前記画像処理手段によって画像形成された画像データを印刷する手段を備えた複数台の画像形成装置が電気的に接続されて構成されており、
前記複数台の画像形成装置のうちの任意の一台の画像形成装置が親機となり、読み取った画像データを、子機となる他の画像形成装置をに対して転送し、親子が連結ジョブとして印刷を分担し並列に処理させる手段を備えた画像形成システムにおいて、
前記親機側が原稿読み取り中にメモリフルになってしまった場合は、該親機側の分担部数を１部に切り替え、１ページごとの印刷終了および前記子機側への画像転送完了をもって画像データを削除するようにし、残りの全部数は該子機側にて印刷するようにすることを特徴とする画像形成システム。
【請求項２】
前記親機側がすぐに印刷開始できないような状態にてメモリフルが発生した場合は、全部数を前記子機側にて印刷させることを特徴とする請求項１に記載の画像形成システム。
【請求項３】
前記親機側にて割り当て部数の印刷が全て完了した時点で連結モードを解除し、残りの処理は全て前記子機側で行うことを特徴とする請求項１又は２記載の画像形成システム。
【請求項４】
請求項１から３のいずれか１項に記載の画像形成システムに用いられることを特徴とする画像形成装置。
【発明の詳細な説明】
【技術分野】
【０００１】
本発明は、電気的に接続可能な複数の画像形成装置を連結し、印刷機能を分担して連結印刷可能な画像形成システム及び画像形成装置に関する。
【背景技術】
【０００２】
従来の画像形成装置では、複数台のデジタル複写機を機能的に連結して使用する技術が知られている。親機側で連結モードを選択し、読み取った画像を連結されている子機とで分担し、印刷動作を並行して行わせることによってトータルのパフォーマンスを得ている。
【０００３】
たとえば、１枚の原稿を１００枚コピーする際、連結状態にある画像形成装置が２台ある場合は１台あたり５０枚ずつ印刷動作を行うなど、トータルの印刷時間を短縮する機能である。また、コピーのみにかかわらず、プリンタ、ＦＡＸ等の複数のアプリケーションが有効であるマルチファンクション機（以下、ＭＦ機という）ではメモリ共有資源を有効に使うための従来技術として、複数の画像形成装置を連結動作させる画像形成システムにおいて、メモリ共有資源を効率的に利用できるようにする「画像形成装置及び画像形成システム」がある（例えば、特許文献１参照）。この発明は、連結動作用のメモリ領域を確保し、連結動作を行わないときは単独動作で使用できるようにし、連結動作の指示があったときは、残りの領域を開放するようにしている。
【特許文献１】特開２００１−１３８７２７号公報
【発明の開示】
【発明が解決しようとする課題】
【０００４】
しかしながら、従来技術においては、他のアプリによる動作にメモリ資源が取られている状態で連結動作を行おうとした場合、たとえば、子機側では連結動作を行うための十分なメモリ資源があるにもかかわらず、親機側では原稿読取中にメモリフルが発生してしまったような場合は、結局親機側のメモリ状態に応じた出力結果でメモリフルが発生したページまでの単位でしか印刷できなかった。
【０００５】
本発明は、上記問題に対して鑑みてなされたものであり、連結動作として親機側にて原稿の読取動作と印刷動作を並行して処理している状態にて親機側でメモリフルが発生した場合は、親機側の分担部数を１部に切り替えて、１ページごとの印刷終了および子機側への画像転送完了をもって画像データを削除するようにし、残りの全部数を子機側にて印刷するようにすることで、親機側でメモリフル状態による動作停止を防ぎ、印刷結果が部の途中で分かれてしまうことのないようにすることを目的とする。
【０００６】
また、本発明の目的は、連結動作として親機側が原稿の読取動作のみ処理している状態にて親機側でメモリフルが発生した場合は、親機側の分担をなくし、子機側への１ページごとの画像転送完了をもって画像データを削除するようにし、全部数を子機側にて印刷するようにすることで、親機側でメモリフル状態による動作停止を防ぎ、印刷結果が部の途中で分かれてしまうことのないようにすることを目的とする。
【０００７】
また、本発明の目的は、親機側でのメモリフル状態発生から親機側での処理が完了後に連結モードを解除することで親子の関係を切り離し、親機側は次のジョブに取り掛かれるようにし、システムとしての効率をあげることを目的とする。
【課題を解決するための手段】
【０００８】
かかる目的を達成するために、請求項１記載の発明は、原稿を画像データとして読み取る読み取り手段と、読み取り手段により読み取られた画像データに画像処理を施す画像処理手段と、画像処理手段によって画像形成された画像データを印刷する手段を備えた複数台の画像形成装置が電気的に接続されて構成されており、複数台の画像形成装置のうちの任意の一台の画像形成装置が親機となり、読み取った画像データを、子機となる他の画像形成装置をに対して転送し、親子が連結ジョブとして印刷を分担し並列に処理させる手段を備えた画像形成システムにおいて、親機側が原稿読み取り中にメモリフルになってしまった場合は、親機側の分担部数を１部に切り替え、１ページごとの印刷終了および子機側への画像転送完了をもって画像データを削除するようにし、残りの全部数は子機側にて印刷するようにすることを特徴とする。
【０００９】
請求項２記載の発明は、請求項１記載の発明において、親機側がすぐに印刷開始できないような状態にてメモリフルが発生した場合は、全部数を子機側にて印刷させることを特徴とする。
【００１０】
請求項３記載の発明は、請求項１又は２記載の発明において、親機側にて割り当て部数の印刷が全て完了した時点で連結モードを解除し、残りの処理は全て子機側で行うことを特徴とする。
【００１１】
請求項４記載の発明は、請求項１から３のいずれか１項に記載の画像形成システムに用いられることを特徴とする。
【発明の効果】
【００１２】
本発明によれば、連結動作として親機側にて原稿の読取動作と印刷動作を並行して処理している状態にて親機側でメモリフルが発生した場合は、親機側の分担部数を１部に切り替えて、１ページごとの印刷終了および子機側への画像転送完了をもって画像データを削除するようにし、残りの全部数を子機側にて印刷するようにしたので、親機側でメモリフル状態による動作停止を防ぎ、印刷結果が部の途中で分かれてしまうことのない画像形成システム及び画像形成装置を提供できる。
【発明を実施するための最良の形態】
【００１３】
以下、本発明を実施するための最良の形態について添付図面を参照して詳細に説明する。
【００１４】
図１に本発明の画像形成装置を示す。
自動原稿送り装置（以後ＡＤＦ）１にある、原稿台２に原稿の画像面を上にして置かれた原稿束は、図２に示す操作部３０上のスタートキー３４が押下されると、一番上の原稿から給送ローラ３、給送ベルト４によってコンタクトガラス６上の所定の位置に給送される。読み取りユニット５０によってコンタクトガラス６上の原稿の画像データを読み取り後、読み取りが終了した原稿は、給送ベルト４及び排送ローラ５によって排出される。さらに、原稿セット検知７にて原稿台２に次の原稿が有ることを検知した場合、前原稿と同様にコンタクトガラス６上に給送される。給送ローラ３、給送ベルト４、排送ローラ５はモータによって駆動される。
【００１５】
第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。読み取りユニット５０にて読み込まれた画像データは、書き込みユニット５７からのレーザによって感光体１５に書き込まれ、現像ユニット２７を通過することによってトナー像が形成される。そして、転写紙は感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００１６】
後処理装置のフィニシャ１００は、通常排紙ローラ１０２方向と、ステープル処理部方向に導く事ができる。切り替え板１０１を上に切り替える事により、搬送ローラ１０３を経由して通常排紙トレイ１０４側に排紙する事ができる。また、切り替え板１０１を下方向に切り替える事で、搬送ローラ１０５、１０７を経由して、ステープル台１０８に搬送する事ができる。
【００１７】
ステープル台１０８に積載された転写紙は、一枚排紙去れるごとに紙揃え用のジョガー１０９によって、紙端面が揃えられ、一部のコピー完了と共にステープラ１０６によって綴じられる。ステープラ１０６で綴じられた転写紙群は自重によって、ステープル完了排紙トレイ１１０に収納される。
【００１８】
一方、通常の排紙トレイ１０４は前後に移動可能な排紙トレイである。前後に移動可能な排紙トレイ部１０４は、原稿毎、あるいは、画像メモリによってソーティングされたコピー部毎に、前後に移動し、簡易的に排出されてくるコピー紙を仕分けるものである。
【００１９】
転写紙の両面に画像を作像する場合は、各給紙トレイ８〜１０から給紙され作像された転写紙を排紙トレイ１０４側に導かないで、経路切り替えの為の分岐爪１１２を上側にセットする事で、一旦両面給紙ユニット１１１にストックする。
【００２０】
その後、両面給紙ユニット１１１にストックされた転写紙は再び感光体１５に作像されたトナー画像を転写するために、両面給紙ユニット１１１から再給紙され、経路切り替えの為の分岐爪１１２を下側にセットし、排紙トレイ１０４に導く。この様に転写紙の両面に画像を作成する場合に両面給紙ユニット１１１は使用される。
【００２１】
感光体１５、搬送ベルト１６、定着ユニット１７、排紙ユニット１８、現像ユニット２７は、図４に示すメインモータ２５によって駆動され、各給紙装置１１〜１３はメインモータ２５の駆動を各々給紙クラッチ２２〜２４によって伝達駆動される。縦搬送ユニット１４はメインモータ２５の駆動を中間クラッチ２１によって伝達駆動される。
【００２２】
図２は、操作部３０を示した図である。
操作部３０には、液晶タッチパネル３１、テンキー３２、クリア／ストップキー３３、プリントキー３４、予熱キー３５、リセットキー３６があり、液晶タッチパネル３１には、後述するモード設定のためのキーや画像形成装置の状態を示すメッセージなどが表示される。
【００２３】
図３は操作部３０の液晶タッチパネル３１の表示一例を示した図である。
オペレータが液晶タッチパネル３１に表示されたキーにタッチする事で、選択された機能を示すキーが黒く反転する。また、機能の詳細を指定しなければならない場合（例えば変倍であれは変倍値等）は、キーにタッチする事で、詳細機能の設定画面が表示される。このように、液晶タッチパネルは、ドット表示器を使用している為、その時の最適な表示をグラフィカルに行う事が可能である。
【００２４】
図３において左上は、「コピーできます」、「お待ちください」等のメッセージを表示するメッセージエリア、その右は、セットした枚数を表示するコピー枚数表示部、転写紙を自動的に選択する自動用紙選択キー、コピーを一部ずつページ順にそろえる処理を指定するソートキー、コピーをページ毎に仕分けする処理を指定するスタックキー、ソート処理されたものを一部ずつ綴じる処理を指定するステープルキー、倍率を等倍にセットする等倍キー、拡大／縮小倍率をセットする変倍キー、両面モードを設定する両面キー、とじ代モード等を設定する編集キー、表紙／合紙モードを設定する表紙／合紙キー、デジタル複写機のネットワークを介して多量のプリント動作を複数に分けてプリントアウトする連結モードキーである。
【００２５】
また、給紙トレイ数に対応した給紙トレイ状態を示し、手動で給紙段を設定するためのキーが給紙段分表示されている。
【００２６】
図１を用いて、本発明における画像読み取り手段、および画像を記録面上に潜像形成するまでの動作を説明する。潜像とは感光体面上に画像を光情報に変換して照射することにより生じる電位分布である。
【００２７】
読み取りユニット５０は、原稿を載置するコンタクトガラス６と光学走査系で構成されており、光学走査系には、露光ランプ５１、第１ミラー５２、レンズ５３、ＣＣＤイメージセンサ５４等々で構成されている。露光ランプ５１及び第１ミラー５２は図示しない第１キャリッジ上に固定され、第２ミラー５５及び第３ミラー５６は図示しない第２キャリッジ上に固定されている。原稿像を読み取るときには、光路長が変わらないように、第１キャリッジ第２キャリッジとが２対１の相対速度で機械的に走査される。
【００２８】
この光学走査系は、図示しないスキャナ駆動モータにて駆動される。原稿画像は、ＣＣＤイメージセンサ５４によって読み取られ、電気信号に変換されて処理される。レンズ５３及びＣＣＤイメージセンサ５４を図１において左右方向に移動させることにより、画像倍率が変わる。すなわち、指定された倍率に対応してレンズ５３及びＣＣＤイメージセンサ５４の左右方向に位置が設定される。
【００２９】
書き込みユニット５７はレーザ出力ユニット５８、結像レンズ５９、ミラー６０で構成され、レーザ出力ユニット５８の内部には、レーザ光源であるレーザダイオード及びモータによって高速で定速回転する回転多面鏡（ポリゴンミラー）が備わっている。
【００３０】
レーザ出力ユニット５８より照射されるレーザ光は、定速回転するポリゴンミラーで偏光され、結像レンズ５９を通り、ミラー６０で折り返され、感光体面上に集光結像する。
【００３１】
偏光されたレーザ光は感光体が回転する方向と直行する方向（主走査方向）に露光走査され、後述する画像処理部のセレクタ６４より出力された画像信号のライン単位の記録を行う。感光体の回転速度と記録密度に対応した所定の周期で主走査を繰り返すことによって、感光体面上に画像（静電潜像）が形成される。
【００３２】
上述のように、書き込みユニット５７から出力されるレーザ光が、画像作像系の感光体１５に照射される。図示しないが感光体１５の一端近傍のレーザビームを照射される位置に、主走査同期信号を発生するビームセンサが配置されている。この主走査同期信号をもとに主走査方向の画像記録開始タイミングの制御、および後述する画像信号の入出力を行うための制御信号の生成を行う。
【００３３】
本実施例における画像処理部（画像読み取り部と画像書き込み部 ）の構成について、図５を用いて説明する。
露光ランプ５１から照射された光は原稿面を照射し、原稿面からの反射光を、ＣＣＤイメージセンサ５４にて結像レンズ（図示せず）により結像、受光して光電変換し、Ａ／Ｄコンバータ６１にてデジタル信号に変換する。デジタル信号に変換された画像信号は、シェーディング補正６２がなされた後、画像処理部６３にてＭＴＦ補正、γ補正等がなされる。
【００３４】
セレクタ６４では、画像信号の送り先を、書き込みγ補正部７１または、画像メモリコントローラ６５への切り替えが行われる。書き込みγ補正部７１を経由した画像信号は書き込みユニット５７に送られる。画像メモリコントローラ６５とセレクタ６４間は、双方向に画像信号を入出力可能な構成となっている。
【００３５】
図５には特に明示していないが、画像処理部（ＩＰＵ）には、読み取り部５０から入力される画像データ以外にも外部から供給される画像データ（例えばパーソナルコンピュータ等のデータ処理装置から出力されるデータ）も処理できるよう、複数のデータの入出力の選択を行う機能を有している。
【００３６】
画像メモリコントローラ６５等への設定や、読み取り部５０書き込み部５７の制御を行うＣＰＵ６８、及びそのプログラムやデータを格納するＲＯＭ６９、ＲＡＭ７０を備えている。更にＣＰＵ６８は、メモリコントローラ６５を介して、画像メモリ６６のデータの書き込み、読み出しが行える。また画像メモリ６６の内容を退避させ、保存するためのＨＤＤ７３を備えている。
【００３７】
ここで、図６を用いて、セレクタ６４における１ページ分の画像信号について説明する。
【００３８】
／ＦＧＡＴＥは、１ページの画像データの副走査方向の有効期間を表している。／ＬＳＹＮＣは、１ライン毎の主走査同期信号であり、この信号が立ち上がった後の所定クロックで、画像信号が有効となる。主走査方向の画像信号が有効であることを示す信号が、／ＬＧＡＴＥである。これらの信号は、画素クロックＶＣＬＫに同期しており、ＶＣＬＫの１周期に対し１画素のデータが送られてくる。
【００３９】
図４に示す画像処理部（ＩＰＵ）４９は、画像入力、出力それぞれに対して別個の／ＦＧＡＴＥ、／ＬＳＹＮＣ、／ＬＧＡＴＥ、ＶＣＬＫの発生機構を有しており、様々な画像入出力の組み合わせが実現可能になる。
【００４０】
また、作業分担するために他のデジタル複写機と画像データやコマンドの送受信を行う必要があるが、これは、本実施例では画像データの送受信用にＩＥＥＥ１３９４の連結インタフェースを、コマンドの送受信用にシリアル通信ラインを用いている。図５のメモリコントローラ６５が連結インターフェースドライバ４８を介してそれを実現している。
【００４１】
次に、本画像形成装置内のソフトウェア制御モジュール構成と、画像転送、印刷制御について説明する。図７は、ソフトウェアのモジュール構成を示した図である。図１３は、画像形成装置を連結した状態を示す図である。
【００４２】
アプリケーション層で設定されたジョブ情報は、スタートキーなどをトリガーにコントロールサービス層に受け渡される。コントロールサービス層は、アプリからのジョブ情報を解釈し、ハンドラ層を動作させるためのプロセス情報をハンドラマネージャに要求する。ハンドラマネージャは、プロセス情報に従って個々のハンドラを動作させる。
【００４３】
ハンドラには、読み取りユニットを制御するスキャナハンドラ、画像メモリへの画像データの入出力を制御する画像メモリハンドラ、書き込みユニットと用紙搬送、後処理周辺機を制御するプロッタハンドラ、が有り、これらのソフトウェアモジュールが連携して、読み取りから画像メモリへの蓄積と画像形成の処理が行われる。
【００４４】
さらに本画像形成装置には、他の画像形成装置と連結するための、連結Ｉ／Ｆドライバを備え、このＩ／Ｆを介して画像データとコマンド情報の受け渡しが可能になっている。
【００４５】
単体コピージョブでは、画像の読み取りと蓄積、蓄積画像の印刷という手順で行われるが、連結コピージョブでは、前記手順に加え以下の制御が加わる。
【００４６】
親機側で発生した連結コピージョブは、親機のコントロールサービス内でジョブ情報が解釈された後、スキャナで読み取った画像を画像メモリに蓄積するプロセスと、その画像を子機の画像メモリに転送するプロセスに分けてそれぞれ実行される。
【００４７】
必要な画像の転送が完了すると、子機のコントロールサービスは、親機のコントロールサービスから受け取った情報に従って、予め転送されている画像データを参照する印刷プロセスを生成し、子機のハンドラマネージャに印刷を要求する。
【００４８】
そして子機のコントロールサービスは、親機に対して自機で処理した印刷ジョブを親機に逐次通知する。この情報に従って親機のコントロールサービスは、自機の印刷ジョブと子機側の印刷ジョブの経過を監視し、必要分の印刷を行う。
【００４９】
図８は通常の１対１連結を行っているときの動作を表現した図である。横軸に時間をとると、親機側にて１の原稿読み取りが行われると同時に子機側へ読み取った画像が４で転送される。このとき親機側での２、３の印刷動作と並行して子機側の５、６で印刷が行われる。図８では印刷１、印刷３が親機側で分担しており、子機側では印刷２、印刷４が分担されている。
【００５０】
図９では読み取った画像をいつまで保持しておくかに着目したフローチャートである。コピーモードはソートで複数部指定されているものとする。STEP1,2でそれぞれカウンタを初期化しSTEP3でnページ目の印刷を行う。ソートの場合は同じ画像をもう一度印刷する必要があるので、ここでは印刷画像をそのまま保持する。要はSTEP4では最終部でないのでSTEP6まで進み、最終ページになるまで印刷動作を繰り返す。STEP6で最終ページまで到達した場合は、STEP8で最終部かどうかの判定を行い、部カウンタｍを進めて次の部の印刷を行うべくSTEP2へ戻る。ここで最終部に入った場合はSTEP4の結果がYESになるのでSTEP5にて印刷完了したnページ目の画像を削除する。要するに、最終部に入ってから１ページごとに印刷が完了する度にその対応する画像データを削除することになる。
【実施例１】
【００５１】
図１０は実施例１に係る動作を説明した図である。
先の図９で説明したとおり、１部目の印刷中には画像を保持しているので、図中の１の読み取りでメモリフルが発生することがある。この場合、このメモリフルが発生した時点で親機側に分担されている部数を１に切り替えるようにすると、上述した図９の説明における最終部の印刷パターンになるので、印刷完了した画像を順次消していくようになる。結果親機側では１部、子機側では（全部数−１）部の印刷が出力される。
【００５２】
本発明の実施例１によれば、連結動作として親機側にて原稿の読取動作と印刷動作を並行して処理している状態にて親機側でメモリフルが発生した場合は、親機側の分担部数を１部に切り替えて、１ページごとの印刷終了および子機側への画像転送完了をもって画像データを削除するようにし、残りの全部数を子機側にて印刷するようにしたので、親機側でメモリフル状態による動作停止を防ぎ、印刷結果が部の途中で分かれてしまうことのないシステムを提供できる。
【実施例２】
【００５３】
図１１は実施例２に係る動作を説明した図である。
たとえば、定着リロード待ちなどで印刷がすぐに実行開始できない状態にある場合、すなわち読み取り動作を先行して実行している状態でメモリフルが発生した場合は、この時点で親機側の印刷分担をなくし、子機側のみで印刷するようにする。つまり、親機側では印刷はせずに読み取りのみ行い、読み取った１ページごとの画像の子機側への転送終了を持ってその画像を順次消すようにする。
【００５４】
本発明の実施例２によれば、連結動作として親機側が原稿の読取動作のみ処理している状態にて親機側でメモリフルが発生した場合は、親機側の分担をなくし、子機側への１ページごとの画像転送完了をもって画像データを削除するようにし、全部数を子機側にて印刷するようにしたので、親機側でメモリフル状態による動作停止を防ぎ、印刷結果が部の途中で分かれてしまうことのないシステムを提供できる。
【実施例３】
【００５５】
図１２は実施例３に係る動作を説明した図である。
親機側で１部目の印刷中にメモリフルが発生したパターンを表しているが、親機側での読み取り、画像転送、１部目印刷の全てが完了した時点、図中の６のタイミングにて、連結モードを解除するようにして、親／子関係を切り離すようにする。
【００５６】
本発明の実施例３によれば、親機側でのメモリフル状態発生から親機側での処理が完了後に連結モードを解除することで親子の関係を切り離し、親機側は次のジョブに取り掛かれるようにしたので、システムとしての効率をあげることができる。
【００５７】
以上、本発明の実施例について説明したが、上記実施例に限定されるものではなく、その要旨を逸脱しない範囲において種々の変形が可能である。
【図面の簡単な説明】
【００５８】
【図１】本発明の実施例に係る画像形成装置の構成を示す図である。
【図２】本発明の実施例に係る画像形成装置の操作部を示す図である。
【図３】本発明の実施例に係る画像形成装置の操作部の液晶タッチパネルの表示一例を示す図である。
【図４】本発明の実施例に係る画像形成装置のメインコントローラとその周辺部を示す図である。
【図５】本発明の実施例に係る画像形成装置の画像処理部（画像読み取り部と画像書き込み部）の構成を示す図である。
【図６】本発明の実施例に係り、セレクタにおける１ページ分の画像信号を示す図である。
【図７】本発明の実施例に係り、ソフトウェアのモジュール構成を示す図である。
【図８】通常の１対１連結を行っているときの動作を表現した図である。
【図９】本発明の実施例に係る動作を示すフローチャートである。
【図１０】本発明の実施例１に係る動作を説明した図である。
【図１１】本発明の実施例２に係る動作を説明した図である。
【図１２】本発明の実施例３に係る動作を説明した図である。
【図１３】本発明の実施例に係る画像形成装置を連結した状態を示す図である。
【符号の説明】
【００５９】
１    自動原稿送り装置（ＡＤＦ）
２    原稿台
３    給紙ローラ
４    給送ベルト
５    排送ローラ
６    コンタクトガラス
７    原稿セット検知
８    第１トレイ
９    第２トレイ
１０    第３トレイ
１１    第１給紙装置
１２    第２給紙装置
１３    第３給紙装置
１４    縦搬送ユニット
１５    感光体
１６    搬送ベルト
１７    定着ユニット
１８    排紙ユニット
２０    メインコントローラ
２１    中間クラッチ
２２    第１給紙クラッチ
２３    第２給紙クラッチ
２４    第３給紙クラッチ
２５    メインモータ
２６    搬送モータ
２７    現像ユニット
３０    操作部
３１    液晶タッチパネル（液晶ディスプレイ）
３２    テンキー
３３    クリア／ストップキー
３４    スタートキー（プリントキー）
３５    予熱キー
３６    リセットキー
４８    連結Ｉ／Ｆ（連結インターフェースドライバ）
４９    画像処理部（ＩＰＵ）
５０    読み取りユニット
５１    露光ランプ
５２    第１ミラー
５３    レンズ
５４    ＣＣＤイメージセンサ
５５    第２ミラー
５６    第３ミラー
５７    書き込みユニット
５８    レーザ出力ユニット
５９    結像レンズ
６０    ミラー
６１    Ａ／Ｄコンバータ
６２    シェーディング補正
６３    画像処理部
６４    セレクタ
６５    画像メモリコントローラ
６６    画像メモリ
６７    Ｉ／Ｏポート
６８    ＣＰＵ
６９    ＲＯＭ
７０    ＲＡＭ
７１    書き込みγ補正部
７２    変倍処理
７３    ＨＤＤ
１００    フィニッシャ
１０１    切り替え板
１０２    通常排紙ローラ
１０３    搬送ローラ
１０４    通常排紙トレイ
１０５    搬送ローラ
１０６    ステープラ
１０７    搬送ローラ
１０８    ステープル台
１０９    ジョガー
１１０    ステープル完了排紙トレイ
１１１    両面給紙ユニット
１１２    分岐爪
【図１】
2005333388.tif 000003
【図２】
2005333388.tif 000004
【図３】
2005333388.tif 000005
【図４】
2005333388.tif 000006
【図５】
2005333388.tif 000007
【図６】
2005333388.tif 000008
【図７】
2005333388.tif 000009
【図８】
2005333388.tif 000010
【図９】
2005333388.tif 000011
【図１０】
2005333388.tif 000012
【図１１】
2005333388.tif 000013
【図１２】
2005333388.tif 000014
【図１３】
2005333388.tif 000015